(57)【要約】【課題】利用者が顔面に貼り付けた後に会話をしたり顔又は身体を動かしてもシート材が顔面から剥離することがなく、更に顔面とともに首筋にも密着させて使用する大きなタイプのフェイスシート化粧品の密着性を高めることができるフェイスシート化粧品を提供することを目的とする。【解決手段】吸水性を有するシート材を所定のフェイスシート１の形状に打抜き成形してから化粧料を含浸して作製する化粧品において、フェイスシート１の左右両側に、略半円形の耳掛け片５を一体に成形したことを基本手段としている。他の例としてフェイスシート１の下側部に利用者の顎部を被覆する延長片１ａと該延長片に連接して利用者の首筋を被覆するカバーシート１ｂを一体に成形し、フェイスシート１の左右両側に略半円形の耳掛け片５を一体に成形するとともにカバーシート１ｂの左右両端部近傍に耳掛け用の切込部６を設けてある。【選択図】    図１
2004209143.tif 000002
【特許請求の範囲】
【請求項１】
吸水性を有するシート材を所定のフェイスシート形状に打抜き成形してから化粧料を含浸して作製するフェイスシート化粧品において、
フェイスシートの左右両側に、略半円形の耳掛け片を一体に成形したことを特徴とするフェイスシート化粧品。
【請求項２】
前記耳掛け片の内側に、耳掛け用の孔部を設けてなる請求項１に記載のフェイスシート化粧品。
【請求項３】
吸水性を有するシート材を所定のフェイスシート形状に打抜き成形してから化粧料を含浸して作製するフェイスシート化粧品において、
フェイスシートの下側部に、利用者の顎部を被覆する延長片と該延長片に連接して利用者の首筋を被覆するカバーシートを一体に成形し、フェイスシートの左右両側に略半円形の耳掛け片を一体に成形するとともに、カバーシートの左右両端部近傍に耳掛け用の切込部を設けたことを特徴とするフェイスシート化粧品。
【請求項４】
カバーシートの左右両端部近傍に縦方向の切込部を設け、該切込部の中心位置から中央部に向けて直角方向に各１本の切込部を設けた請求項３に記載のフェイスシート化粧品。
【請求項５】
カバーシートの左右両端部近傍に縦方向の切込部を設け、該切込部の中心位置から中央部に向けて直角方向に略三角形の切欠部を設けた請求項３に記載のフェイスシート化粧品。
【請求項６】
吸水性を有するシート材を所定のフェイスシート形状に打抜き成形してから化粧料を含浸して作製するフェイスシート化粧品において、
フェイスシートを目もとを除く鼻と口もとに密着させて使用する形状に成形し、該フェイスシートの左右両側から斜め上方に向けて長半円形の耳掛け片を一体に成形したことを特徴とするフェイスシート化粧品。
【請求項７】
吸水性を有するシート材を所定のフェイスシート形状に打抜き成形してから化粧料を含浸して作製するフェイスシート化粧品において、
フェイスシートを目もとに密着させて使用する形状に成形し、該フェイスシートの左右両側に、略半円形の耳掛け片を一体に成形したことを特徴とするフェイスシート化粧品。
【請求項８】
吸水性を有するシート材として、化学合成繊維又は化学合成繊維＋天然繊維でなる不織布シートを用いた請求項１乃至７に記載のフェイスシート化粧品。
【請求項９】
シート材として、吸水性を有する紙を用いた請求項１乃至７に記載のフェイスシート化粧品。
【発明の詳細な説明】
【０００１】
【発明の属する技術分野】
本発明は所定の化粧料を不織布シートまたは紙でなる吸水性の高いシート材に含浸し、顔面全体もしくは目もと，口もと、更には首筋に密着させて使用するフェイスシート化粧品に関し、特に顔面からの脱落を防止して密着性を高めた化粧品に関するものである。
【０００２】
【従来の技術】
従来から化粧料又は美容料を含浸したフェイスシート化粧品を用いて、顔面全体もしくは目もと，口もと，首筋の肌の手入れを行う商品が市販されており、肌への湿潤作用を得るために吸水性を有するシート材に化粧料を充分に含有した製品が提供されている。このようなフェイスシート化粧品として、所定の形状に打抜かれた不織布シートまたは紙でなる吸水性の高いシート材に化粧料を含浸し、包装体内に積層して密封するか、一つの包装体内に化粧料を含浸したシート材を１枚だけ封入した１回分の使い切りタイプのパック型化粧品が一般に提供されている。
【０００３】
利用者は積層された複数枚のシート材を１枚ずつ剥離して使用するか、１回分の使い切りタイプのパック型化粧品から１枚のシート材を取り出して利用に供している。不織布シートとしては化学合成繊維もしくは化学合成繊維＋天然繊維が用いられ、不織布シートの坪量は２５ｇ／ｍ２〜１２０ｇ／ｍ２となっている。
【０００４】
特許文献１には、不織布の片面、両面又は内部に穴あき樹脂フィルムを重ねて接合したフェイスマスクシート化粧品の構成が開示されており、化粧水を含浸したフェイスマスクシートを折り畳まれた状態から顔形状に展開して顔に当てる際に手間と時間がかからないようにした化粧品が提案されている。特許文献２には人の顔型に形成した吸水性シートを所定の形状に折り畳んだ後に圧縮成型するローションマスクにおいて、吸水性シートの周縁部に着色部を構成したことにより、ローションマスクを拡げる際にその端部を容易に見つけることができて、破損を生じることなく確実に使用することができるローションマスクが提案されている。
【０００５】
【特許文献１】
特開２０００−２８７７５１号公報
【特許文献２】
特許第２８８０１４１号公報
【０００６】
【発明が解決しようとする課題】
従来のフェイスシート化粧品は、使用中にシート材が顔面から剥離しないようにするため、シート材に含浸する化粧液の成分中に予め顔面への吸着，接着効果のある薬剤を混入するか、シート材を構成する素材中又は該シート材の表面に顔面への吸着及び接着効果のある素材を混入もしくは塗布して対処している。しかしながらフェイスシート化粧品を顔面に貼り付けた後に、シート材の吸着，接着作用が低下して該シート材が顔面から剥離して落下するケースが多いという課題がある。
【０００７】
また、顔面とともに首筋にも密着させて使用するタイプのフェイスシート化粧品の場合は、型抜きするシート材の寸法が大きくなって特に落下しやすく、利用者が使用中に会話をしたり、顔又は身体を動かしたりするとシート材が首筋に密着しないという事態が生じる。
【０００８】
そこで本発明は上記の問題点を解決して、利用者がフェイスシート化粧品を顔面に貼り付けた後に会話をしたり顔又は身体を動かしてもシート材が顔面から剥離することがなく、更に顔面とともに首筋にも密着させて使用する大きなタイプのフェイスシート化粧品の密着性を高めることができるフェイスシート化粧品を提供することを目的とするものである。
【０００９】
【課題を解決するための手段】
本発明は上記目的を達成するために、吸水性を有するシート材を所定のフェイスシート形状に打抜き成形してから化粧料を含浸して作製するフェイスシート化粧品において、フェイスシートの左右両側に、略半円形の耳掛け片を一体に成形したことを基本手段としている。また、上記耳掛け片の内側に耳掛け用の孔部を設けた構成を提供する。
【００１０】
本発明の他の実施例として、フェイスシートの下側部に利用者の顎部を被覆する延長片と該延長片に連接して利用者の首筋を被覆するカバーシートを一体に成形し、フェイスシートの左右両側に略半円形の耳掛け片を一体に成形するとともに、カバーシートの左右両端部近傍に耳掛け用の切込部を設けてある。具体的にはカバーシートの左右両端部近傍に縦方向の切込部を設け、該切込部の中心位置から中央部に向けて直角方向に各１本の切込部を設けた構成と、縦方向の切込部の中心位置から中央部に向けて直角方向に略三角形の切欠部を設けた構成にしてある。
【００１１】
前記フェイスシートを目もとを除く鼻と口もとに密着させて使用する形状とするか、目もとに密着させて使用する形状に成形し、該フェイスシートの左右両側にも耳掛け片を一体に成形したフェイスシート化粧品を提供する。吸水性を有するシート材として、化学合成繊維又は化学合成繊維＋天然繊維でなる不織布シートを用いるか、吸水性を有する紙を用いる。
【００１２】
かかるフェイスシート化粧品によれば、フェイスシートを顔面に密着させた後に耳掛け片を利用者の左右の耳に掛け止めすることにより、フェイスシート自体の密着性が高められ、利用者が使用中に会話をしたり顔又は身体を動かしたりしてもフェイスシートが剥離して落下するという事態は生じない。また、フェイスシートに延長片とカバーシートを設けたことにより、使用時に延長片を用いて利用者の顎部を被覆し、カバーシートを用いて首筋を被覆してから該カバーシートの左右両端部近傍に設けられた切込部を利用者の左右の耳に掛け止めした際に、切込部の中心位置から中央部に向けて直角方向に設けた切込部もしくは切欠部によって両耳の下側部から首筋にかけてのカバーシートの密着性が良好になるとともに両耳の下側部から首筋にかけてカバーシートが立体的に衝接し、顔面だけでなく首筋及び両耳の下側部にカバーシートが密着して美容効果を高めることができる。
【００１３】
【発明の実施の形態】
以下図面に基づいて本発明にかかるフェイスシート化粧品の各種実施形態を説明する。本発明では吸水性を有するシート材でなるフェイスシートに化粧料を含浸して作製するフェイスシート化粧品における該フェイスシートの左右両側に、略半円形の耳掛け片を一体に成形したことを基本手段としている。
【００１４】
図１は本発明によるフェイスシート化粧品の第１実施例を示しており、１は吸水性を有する不織布等の化学合成繊維又は化学合成繊維＋天然繊維を型抜きしてシート材として用いたフェイスシートであり、このフェイスシート１には目もと用の孔部２，２と鼻用の切込部３及び口もと用の孔部４が設けられている。フェイスシート１には予め所定の化粧料及び美容液が含浸されている。フェイスシート１の素材として前記化学合成繊維又は化学合成繊維＋天然繊維に代えて吸水性を有する紙を用いてもよい。
【００１５】
フェイスシート１の左右両側には、本発明の特徴的構成体である略半円形の耳掛け片５，５が一体に成形されている。この耳掛け片５，５の内側には、該耳掛け片５，５の周縁部形状と相似型の略半円形の切込部５ａ，５ａが設けてあり、利用者の左右の耳に耳掛け片５，５を容易に掛け止めすることが可能となっている。尚、破線５ｂ，５ｂに示したように切込部５ａ，５ａの両端部を切断することにより、耳掛け片５，５の内側に耳掛け用の孔部を形成してもよい。
【００１６】
具体的には、フェイスシート１として不織布等の化学合成繊維又は化学合成繊維＋天然繊維でなる坪量２５ｇ／ｍ２〜１２０ｇ／ｍ２，厚みは８μｍ〜１０００μｍの範囲にあるシート材を用いている。寸法例として、耳掛け片５，５を除くフェイスシート１の横幅寸法Ａは略２３０ｍｍ，耳掛け片５，５の横幅寸法Ｂは略４０ｍｍ，耳掛け片５，５の縦方向の寸法Ｃは略４０ｍｍ，切込部５ａ，５ａの寸法Ｄは略３０ｍｍφとなっている。利用者の顔型に適合させるためにフェイスシート１の横幅寸法Ａは２００ｍｍ〜５００ｍｍ，切込部５ａ，５ａの寸法Ｄは３０〜１００ｍｍφの範囲にあればよい。
【００１７】
かかる第１実施例によれば、フェイスシート１を顔面全体に密着させた後、略半円形の切込部５ａ，５ａを用いて耳掛け片５，５を利用者の左右の耳に容易に掛け止めすることができるので、フェイスシート１自体の密着性が高められるとともに、利用者が使用中に会話をしたり顔又は身体を動かしたりしてもフェイスシート１が剥離して落下するという事態を防止することができる。
【００１８】
図２は本発明の第２実施例を示しており、顔面だけでなく首筋にも密着させて使用するフェイスシート化粧品に本発明を適用した例である。フェイスシート１自体の構成は第１実施例と同一であるため、同一の符号を付して表示してある。この第２実施例では、フェイスシート１の下側部に利用者の顎部を被覆する延長片１ａが一体に成形され、該延長片１ａに連接して利用者の首筋を被覆する略凹型のカバーシート１ｂが型抜きにより一体に成形されている。そしてフェイスシート１の左右両側には前記したように略半円形の耳掛け片５，５が一体に成形され、カバーシート１ｂの左右両端部近傍には縦方向の切込部６，６が設けられ、該切込部６，６の中心位置から中央部に向けて直角方向に各１本の切込部７，７が設けられている。切込部６，６の直線長さは略７５ｍｍとし、切込部７，７の直線長さは略６０ｍｍにしてある。
【００１９】
かかる第２実施例によれば、第１実施例と同様にフェイスシート１を顔面全体に密着させて耳掛け片５，５を利用者の左右の耳に掛け止めした後、延長片１ａを用いて顎部に被覆し、略凹型のカバーシート１ｂを用いて首筋を被覆してから該カバーシート１ｂの左右両端部近傍に設けられた縦方向の切込部６，６を利用者の左右の耳に掛け止めする。この時に耳元に向けてカバーシート１ｂが引っ張られることにより皺が生じて両耳の下側部での密着性が低下する問題があるが、本発明では切込部６，６の中心位置から中央部に向けて直角方向に各１本の切込部７，７を設けたことにより、両耳の下側部から首筋にかけてのカバーシート１ｂの密着性を良好に維持することができる。
【００２０】
使用時には顔面へのフェイスシート１の密着性が高められるとともに、顔面だけでなく首筋及び両耳の下側部にもカバーシート１ｂが密着して美容効果が高められ、利用者が使用中に会話をしたり顔又は身体を動かしたりしてもフェイスシート１とカバーシート１ｂとが剥離して落下するという事態は発生しない。
【００２１】
図３は本発明の第３実施例を示しており、基本的な構成は第２実施例と同一であるため、同一の符号を付して表示してある。この第３実施例では、フェイスシート１の下側部に利用者の顎部を被覆する延長片１ａが一体に成形され、該延長片１ａに連接して利用者の首筋を被覆する略凹型のカバーシート１ｂが型抜きにより一体に成形されている点は第２実施例と同一であるが、カバーシート１ｂの左右両端部近傍に設けられた縦方向の切込部６，６の中心位置から中央部に向けて直角方向に略三角形の切欠部８，８が設けられている。その他の構成は第２実施例と同一である。
【００２２】
かかる第３実施例によれば、フェイスシート１を顔面全体に密着させて耳掛け片５，５を利用者の左右の耳に掛け止めし、延長片１ａを用いて顎部を被覆してからカバーシート１ｂを用いて首筋を被覆し、該カバーシート１ｂの左右両端部近傍に設けられた縦方向の切込部６，６を利用者の左右の耳に掛け止めする。この時に切込部６，６の中心位置から中央部に向けて直角方向に略三角形の切欠部８，８を設けたことにより、両耳の下側部から首筋にかけてカバーシート１ｂが立体的に衝接して密着性を良好に維持することができる。使用中にフェイスシート１とカバーシート１ｂとの剥離，落下が生じないことは前記した通りである。
【００２３】
図４は本発明の第４実施例を示しており、利用者の目もとを除く鼻と口もとに密着させて使用するフェイスシート化粧品に本発明を適用した例である。フェイスシート１自体の構成は目もと用の孔部２がない以外は第１実施例と同一であるため、同一の符号を付して表示してある。フェイスシート１の左右両側には斜め上方に向けて長半円形の耳掛け片５，５が一体に成形され、耳掛け片５，５の内側には該耳掛け片５，５の周縁部形状と相似型の長半円形の切込部５ａ，５ａが設けてあり、利用者の左右の耳に耳掛け片５，５を容易に掛け止めすることが可能となっている。破線５ｂに示したように切込部５ａ，５ａの両端部を切断することにより、耳掛け片５，５の内側に耳掛け用の孔部を形成してもよい。
【００２４】
かかる第４実施例によれば、フェイスシート１を目もとを除く顔面に密着させて耳掛け片５，５を利用者の左右の耳に掛け止めすることにより、鼻と口もとに対するフェイスシート１の密着性を良好に維持することができる上、利用者が使用中に会話をしたり顔又は身体を動かしたりしてもフェイスシート１が剥離して落下するという事態は発生しない。
【００２５】
図５は本発明の第５実施例を示しており、利用者の目もとだけに密着させて使用するフェイスシート化粧品に本発明を適用した例である。フェイスシート１には目もと用の孔部２が設けられ、該フェイスシート１の左右両側には半円形の耳掛け片５，５が一体に成形され、耳掛け片５，５の内側には該耳掛け片５，５の周縁部形状と相似型の半円形の切込部５ａ，５ａが設けてあり、利用者の左右の耳に耳掛け片５，５を容易に掛け止めすることが可能となっている。破線５ｂに示したように切込部５ａ，５ａの両端部を切断して耳掛け片５，５の内側に耳掛け用の孔部を形成してもよい。
【００２６】
かかる第５実施例によれば、フェイスシート１を目もとに密着させて耳掛け片５，５を利用者の左右の耳に掛け止めすることにより、目もとに対するフェイスシート１の密着性を良好に維持することができる上、利用者が使用中に会話をしたり顔又は身体を動かしたりしてもフェイスシート１が剥離して落下するという事態が発生しないことは前記した通りである。
【００２７】
【発明の効果】
以上詳細に説明したように、本発明にかかるフェイスシート化粧品によれば、フェイスシートを顔面に密着させた後に耳掛け片を利用者の左右の耳に掛け止めすることによってフェイスシート自体の密着性を格段に高めることができるので、予め含浸する化粧液の成分中に顔面への吸着，接着効果のある薬剤を混入したり、シート材を構成する素材中又は表面に顔面への吸着及び接着効果のある素材を混入もしくは塗布する必要性はない。特に利用者が使用中に会話をしたり顔や身体を動かしてもフェイスシートが剥離して落下するという事態を防止することができる。
【００２８】
更にフェイスシートに延長片とカバーシートを設けた大きなタイプのフェイスシート化粧品に適用したことにより、延長片により利用者の顎部を被覆するとともにカバーシートを用いて首筋を被覆してから該カバーシートの左右両端部近傍に設けられた切込部を左右の耳に掛け止めすることができるので、型抜きするシート材の寸法が大きくなってもフェイスシートの剥離と落下現象が生じることがなくなり、かつ、両耳の下側部から首筋にかけてカバーシートが立体的に衝接し、顔面だけでなく首筋及び両耳の下側部にもカバーシートが密着して美容効果を高めることができる。
【００２９】
従って本発明によれば、利用者がフェイスシート化粧品を顔面に貼り付けた後にシート材が顔面から剥離することがなく、更に顔面とともに首筋にも密着させて使用する大きなタイプのフェイスシート化粧品の密着性を高めることができるフェイスシート化粧品を提供することができる。
【図面の簡単な説明】
【図１】本発明にかかるフェイスシート化粧品の第１実施例を示す正面図。
【図２】本発明の第２実施例を示す正面図。
【図３】本発明の第３実施例を示す正面図。
【図４】本発明の第４実施例を示す正面図。
【図５】本発明の第５実施例を示す正面図。
【符号の説明】
１…フェイスシート
１ａ…延長片
１ｂ…カバーシート
２，４…孔部
３，５ａ，６，７…切込部
５…耳掛け片
８…切欠部
整理番号  Ｐ３５７３
【図１】
2004209143.tif 000003
【図２】
2004209143.tif 000004
【図３】
2004209143.tif 000005
【図４】
2004209143.tif 000006
【図５】
2004209143.tif 000007